(57)【要約】【課題】  固形可燃物の燃焼により該固形可燃物の側面に取り付けた叩打体が被叩打面上に落下して叩打音を発生させる音源付き灯火照明体において該叩打体を該固形可燃物の側面に取り付けるための支持具につき、該叩打体が使用者の意図することなく落下してしまうことを防止し、該叩打体の取付けに伴う該固形可燃物の破損を防止するともに、使用者が様々な音色の叩打音を楽しむことができ、かつ、該音源付き灯火照明体を視覚的に更に楽しむことができる音源付き灯火照明体用の叩打体支持具を提供する。【解決手段】  音源付き灯火照明体用叩打体支持具１は、台座Ｃに立設された固形可燃物Ａの側面に取り付くための取り付き部２と、叩打体Ｂを戴置するための戴置部３と、ピン付き装飾体Ｄのピンを突き刺して止着するための止着部４とから構成される。【選択図】      図１２
0003176660.tif 000002
【実用新案登録請求の範囲】
【請求項１】
固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は複数の脚部材であり、該戴置部は椀形の部材であることを特徴とする音源付き灯火照明体用叩打体支持具。
【請求項２】
固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は該固形可燃物の側面形状に合わせた内周面を有するリング形の部材であり、該戴置部は椀形の部材であることを特徴とする音源付き灯火照明体用叩打体支持具。
【請求項３】
固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は一部に切り欠きのあるリング形の部材であり、該戴置部は椀形の部材であることを特徴とする音源付き灯火照明体用叩打体支持具。
【請求項４】
固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は複数の線状の部材であって、該線状の部材には湾曲部が形成されており、該戴置部は椀形の部材であることを特徴とする音源付き灯火照明体用叩打体支持具。
【請求項５】
固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は該固形可燃物の側面を挟持するクリップ具となっており、該戴置部は椀形の部材であることを特徴とする音源付き灯火照明体用叩打体支持具。
【請求項６】
請求項１から５までの何れかに記載した音源付き灯火照明体用叩打体支持具であって、ピン付き装飾体のピンを突き刺して止着するための止着部が設けられていることを特徴とする音源付き灯火照明体用叩打体支持具。
【考案の詳細な説明】
【技術分野】
【０００１】
本考案は、固形可燃物の燃焼により該固形可燃物の側面に取り付けた叩打体が被叩打面上に落下して叩打音を発生させる音源付き灯火照明体において、該叩打体を該固形可燃物の側面に取り付けるための支持具に関する。
【背景技術】
【０００２】
従来、ろうそく又は線香等の先端部から燃焼してゆく固形可燃物の燃焼により該固形可燃物の側面に突き刺された釘又は針等の叩打体が被叩打面上に落下して叩打音を発生させる音源付き灯火照明体はすでに提案されているところであり、例えば、該固形可燃物の側面に一定の間隔をもって突き刺された該叩打体が、該固形可燃物の燃焼に伴って落下し、該固形可燃物が立設された台座の上面を叩打することにより、叩打音を発生させて時刻を知らせることができる音源付き火時計等が提案されているところである（例えば、特許文献１参照。）。
【０００３】
また、該音源付き灯火照明体用のカバーも提案されているところであり、例えば、該叩打体を差し入れることができる形状及び大きさからなる網目を有する網部材によって該固形可燃物の側面を覆うように形成されている音源付き灯火照明体用のカバーが提案されているところである（例えば、特許文献２参照。）。
【先行技術文献】
【特許文献】
【０００４】
【特許文献１】登実３１４５６４８号公報
【特許文献２】登実３１６８４３５号公報
【考案の概要】
【考案が解決しようとする課題】
【０００５】
しかしながら、上記の従来技術に係る音源付き灯火照明体は、該叩打体が該固形可燃物の側面に突き刺された一箇所でのみ支持されて空中に保持されていることから安定性に欠けることがあるために、該叩打体が使用者の意図することなく落下してしまう場合があるという問題があった。そこで、本考案の解決しようとする第一の課題は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具につき、該叩打体を該固形可燃物の側面に安定的に取り付けられるようにして、該叩打体が使用者の意図することなく落下してしまうことを防止することができる音源付き灯火照明体用の叩打体支持具を提供することにある。
【０００６】
また、上記の従来技術に係る音源付き灯火照明体は、該固形可燃物の側面に該叩打体を突き刺して取り付けるものであるところ、とりわけ該固形可燃物の側面に対する該叩打体の突き刺し深度が深過ぎる場合には、該固形可燃物が該叩打体を突き刺した箇所から折れて破損してしまうという問題があった。そこで、本考案の解決しようとする第二の課題は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具につき、該叩打体を該固形可燃物の側面に突き刺すことなくないしは深く突き刺すことなく取り付けられるようにして、該叩打体の取付けに伴う該固形可燃物の破損を防止することができる音源付き灯火照明体用の叩打体支持具を提供することにある。
【０００７】
ところで、該叩打体が被叩打面に落下した際に発生する叩打音は、該叩打体の形状及び重量によって変化することから、様々な形状又は重量から形成される叩打体を用いることにより、使用者は様々な音色の叩打音を楽しむことができるところである。しかしながら、上記の従来技術に係る音源付き灯火照明体は、上記の通り、該叩打体が該固形可燃物の側面に突き刺された一箇所でのみ支えられて空中に保持されていることから、自ら該叩打体の形状又は重量が制限されてしまうため、使用者は様々な音色の叩打音を楽しむことができないという問題があった。従って、従来提供されてきた該叩打体としては、例えば、釘又はピン等に限られていたところである。そこで、本考案の解決しようとする第三の課題は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具につき、該叩打体を該固形可燃物の側面に支持具を介して取り付けられるようにして、該叩打体の形状又は重量が制限されないようにすることで、使用者が様々な音色の叩打音を楽しむことができる音源付き灯火照明体用の叩打体支持具を提供することにある。
【０００８】
そして、上記の従来技術に係る音源付き灯火照明体に用いられてきた叩打体は、上記の通り、釘又はピン等に限られていたところ、装飾性に乏しいため、使用者は該音源付き灯火照明体を視覚的に更に楽しむことができる余地が残されているという問題があった。そこで、本考案の解決しようとする第四の課題は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具につき、該叩打体と併せて装飾体も該固形可燃物の側面に取り付けられるようにして、使用者が該音源付き灯火照明体を視覚的に更に楽しむことができるようにした音源付き灯火照明体用の叩打体支持具を提供することにある。
【課題を解決するための手段】
【０００９】
本考案の第一から第三までの課題を解決するため、請求項１に係る音源付き灯火照明体用叩打体支持具は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は複数の脚部材であり、該戴置部は椀形の部材であることを特徴とする音源付き灯火照明体用叩打体支持具である。
【００１０】
本考案の第一から第三までの課題を解決するため、請求項２に係る音源付き灯火照明体用叩打体支持具は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は該固形可燃物の側面形状に合わせた内周面を有するリング形の部材であり、該戴置部は椀形の部材であることを特徴とする音源付き灯火照明体用叩打体支持具である。
【００１１】
本考案の第一から第三までの課題を解決するため、請求項３に係る音源付き灯火照明体用叩打体支持具は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は一部に切り欠きのあるリング形の部材であり、該戴置部は椀形の部材であることを特徴とする音源付き灯火照明体用叩打体支持具である。
【００１２】
本考案の第一から第三までの課題を解決するため、請求項４に係る音源付き灯火照明体用叩打体支持具は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は複数の線状の部材であって、該線状の部材には湾曲部が形成されており、該戴置部は椀形の部材であることを特徴とする音源付き灯火照明体用叩打体支持具である。
【００１３】
本考案の第一から第三までの課題を解決するため、請求項５に係る音源付き灯火照明体用叩打体支持具は、固形可燃物の燃焼により該固形可燃物の側面に取り付けた叩打体が被叩打面上に落下して叩打音を発生させる音源付き灯火照明体において該叩打体を該固形可燃物の側面に取り付けるための支持具であって、該固形可燃物の側面に取り付くための取り付き部と、該叩打体を戴置するための戴置部とからなり、該取り付き部は該固形可燃物の側面を挟持するクリップ具となっており、該戴置部は椀形の部材であることを特徴とする音源付き灯火照明体用叩打体支持具である。
【００１４】
本考案の第四の課題を解決するため、請求項６に係る音源付き灯火照明体用叩打体支持具は、請求項１から５までの何れかに記載した音源付き灯火照明体用叩打体支持具であって、ピン付き装飾体のピンを突き刺して止着するための止着部が設けられていることを特徴とする音源付き灯火照明体用叩打体支持具である。
【考案の効果】
【００１５】
本考案に係る音源付き灯火照明体用叩打体支持具は、上記の通りの構成であるから、以下のような効果を奏することができる。
【００１６】
まず、請求項１に記載した音源付き灯火照明体用叩打体支持具は、該固形可燃物の側面に取り付くための取り付き部が複数の脚部材であることから、使用者が該取り付き部を該固形可燃物の側面に突き刺すと、該音源付き灯火照明体用叩打体支持具が該複数の脚部材によって支持されて空中に保持されているため、該音源付き灯火照明体用叩打体支持具を介して該固形可燃物の側面に該叩打体を安定的に取り付けることができ、該叩打体が使用者の意図することなく落下してしまうことを防止することができる。同時に、請求項１に記載した音源付き灯火照明体用叩打体支持具は、該固形可燃物の側面に対して複数の箇所に分散して突き刺して取り付けることから、従来提供されてきた音源付き灯火照明体用叩打体に比較して、該固形可燃物の側面に対して深く突き刺すことなく取り付けることができるため、該叩打体の取付けに伴う該固形可燃物の破損を防止することができる。従って、請求項１に記載した音源付き灯火照明体用叩打体支持具は、上記の本考案が解決しようとする第一及び第二の課題を解決することができるのである。
【００１７】
また、請求項２又は３に記載した音源付き灯火照明体用叩打体支持具は、該固形可燃物の側面に取り付くための取り付き部が該固形可燃物の側面形状に合わせた内周面を有するリング形の部材ないしは一部に切り欠きのあるリング形の部材であることから、使用者が該取り付き部の内周面を該固形可燃物の側面に当接させて取り付けると、該音源付き灯火照明体用叩打体支持具が該リング形の部材によって支持されて空中に保持されていることから、該音源付き灯火照明体用叩打体支持具を介して該固形可燃物の側面に該叩打体を安定的に取り付けることができ、該叩打体が使用者の意図することなく落下してしまうことを防止することができる。同時に、請求項２又は３に記載した音源付き灯火照明体用叩打体支持具は、該固形可燃物の側面に対して突き刺すことなく取り付けることができるため、該叩打体の取付けに伴う該固形可燃物の破損を防止することもできる。従って、請求項２又は３に記載した音源付き灯火照明体用叩打体支持具は、上記の本考案が解決しようとする第一及び第二の課題を解決することができるのである。
【００１８】
次に、請求項４に記載した音源付き灯火照明体用叩打体支持具は、該固形可燃物の側面に取り付くための取り付き部が、複数の線状の部材であって、該線状の部材には湾曲部が形成されていることから、使用者が、該複数の線状の部材に該固形可燃物の側面を挟み込ませて、該湾曲部に該固形可燃物の側面を当接させるようにして取り付けると、該音源付き灯火照明体用叩打体支持具が該複数の線状の部材によって支持されて空中に保持されているため、該音源付き灯火照明体用叩打体支持具を介して該固形可燃物の側面に該叩打体を安定的に取り付けることができ、該叩打体が使用者の意図することなく落下してしまうことを防止することができる。同時に、請求項４に記載した音源付き灯火照明体用叩打体支持具は、該固形可燃物の側面に対して突き刺すことなく取り付けることができるため、該叩打体の取付けに伴う該固形可燃物の破損を防止することもできる。従って、請求項４に記載した音源付き灯火照明体用叩打体支持具は、上記の本考案が解決しようとする第一及び第二の課題を解決することができるのである。
【００１９】
そして、請求項５に記載した音源付き灯火照明体用叩打体支持具は、該固形可燃物の側面に取り付くための取り付き部が該固形可燃物を挟持するクリップ具となっていることから、使用者が該クリップ具を該固形可燃物の側面を挟持させて取り付けると、該音源付き灯火照明体用叩打体支持具が該クリップ具によって支持されて空中に保持されているため、該音源付き灯火照明体用叩打体支持具を介して該固形可燃物の側面に該叩打体を安定的に取り付けることができ、該叩打体が使用者の意図することなく落下してしまうことを防止することができる。同時に、請求項５に記載した音源付き灯火照明体用叩打体支持具は、該固形可燃物の側面に対して突き刺すことなく取り付けることができるため、該叩打体の取付けに伴う該固形可燃物の破損を防止することもできる。従って、請求項５に記載した音源付き灯火照明体用叩打体支持具は、上記の本考案が解決しようとする第一及び第二の課題を解決することができるのである。
【００２０】
また、請求項１から５までの何れかに記載した音源付き灯火照明体用叩打体支持具は、該叩打体を戴置するための椀形の部材からなる戴置部が備えられていることから、使用者は、従来提供されてきた釘又はピン等に限らず、様々な形状又は重量を有する叩打体を用いることにより、様々な音色の叩打音を楽しむことができる。従って、請求項１から５までの何れかに記載した音源付き灯火照明体用叩打体支持具は、上記の本考案が解決しようとする第三の課題を解決することができるのである。
【００２１】
そして、請求項６に記載した音源付き灯火照明体用叩打体支持具は、請求項１から５までの何れかに記載した音源付き灯火照明体用叩打体支持具であって、更にピン付き装飾体のピンを突き刺して止着するための止着部が設けられていることから、使用者は所望のピン付き装飾体を該止着部に取り付けた上で該固形可燃物の側面に取り付けると、該音源付き灯火照明体を視覚的に更に楽しむことができる。従って、請求項６に記載した音源付き灯火照明体用叩打体支持具は、上記の本考案が解決しようとする第四の課題を解決することができるのである。
【図面の簡単な説明】
【００２２】
【図１】本考案の第一実施形態に係る音源付き灯火照明体用叩打体支持具を示した斜視図である。
【図２】本考案の第一実施形態に係る音源付き灯火照明体用叩打体支持具の使用状態を示した参考図である。
【図３】本考案の第二実施形態に係る音源付き灯火照明体用叩打体支持具を示した斜視図である。
【図４】本考案の第二実施形態に係る音源付き灯火照明体用叩打体支持具の使用状態を示した参考図である。
【図５】本考案の第三実施形態に係る音源付き灯火照明体用叩打体支持具を示した斜視図である。
【図６】本考案の第三実施形態に係る音源付き灯火照明体用叩打体支持具の使用状態を示した参考図である。
【図７】本考案の第四実施形態に係る音源付き灯火照明体用叩打体支持具を示した斜視図である。
【図８】本考案の第四実施形態に係る音源付き灯火照明体用叩打体支持具の使用状態を示した参考図である。
【図９】本考案の第五実施形態に係る音源付き灯火照明体用叩打体支持具を示した斜視図である。
【図１０】本考案の第五実施形態に係る音源付き灯火照明体用叩打体支持具の使用状態を示した参考図である。
【図１１】本考案の第六実施形態に係る音源付き灯火照明体用叩打体支持具を示した斜視図である。
【図１２】本考案の第六実施形態に係る音源付き灯火照明体用叩打体支持具の使用状態を示した参考図である。
【図１３】本考案の第六実施形態に係る音源付き灯火照明体用叩打体支持具を示した斜視図である。
【図１４】本考案の第六実施形態に係る音源付き灯火照明体用叩打体支持具の使用状態を示した参考図である。
【考案を実施するための形態】
【００２３】
まず、本考案の第一実施形態に係る音源付き灯火照明体用叩打体支持具の構造及びその使用態様について添付図面に基づいて説明する。
【００２４】
本考案の第一実施形態に係る音源付き灯火照明体用叩打体支持具１は、図１及び２に図示するように、取り付き部２と、戴置部３とから構成される。音源付き灯火照明体用叩打体支持具１は、それを取り付ける固形可燃物Ａが燃焼しても容易に破損しない程度の各種の金属材料をはじめとする耐熱性を有する部材を用いて形成するのが好適である。
【００２５】
取り付き部２は、固形可燃物Ａの側面に取り付くための部材であって、図１及び２に図示するように、複数の細長い脚部材から構成される。図１及び２では、該脚部材の本数は三本であるが、複数備えられているならば、脚部材の本数は特に限定されるものではない。
【００２６】
戴置部３は、叩打体Ｂを戴置するための部材であって、図１及び２に図示するように、椀形の部材から構成される。図１及び２では、戴置部３は、平面視楕円状の椀形の部材であるが、椀形の部材であるならば、平面視四角形状等の他の形状を有する椀形の部材を用いることも可能である。
【００２７】
固形可燃物Ａは、例えば、ろうそく、線香等の先端部から燃焼してゆく柱状の固形可燃物である。図では固形可燃物Ａの形状は円柱状であるが、柱状であれば角柱状等その他の形状からなる固形可燃物を用いることも可能である。尚、固形可燃物Ａは、顔料を練り込めたろうそく等を用いると、使用者がその色彩を楽しむことができ、また、香料を練り込めたろうそくや蜜蝋を原材料としたろうそくあるいは線香等を使用すると、使用者がその芳香を楽しむことができ、好適である。
【００２８】
叩打体Ｂは、図では一例として鈴を用いているが、取り付き部２によって固形可燃物Ａの側面に支持することができ、かつ、戴置部３に戴置することができる程度の形状、大きさ、及び重量を有する叩打体であれば、特に限定されない。また、図では、戴置部３には単一の叩打体Ｂが戴置されているが、複数個の叩打体Ｂを戴置することも可能である。その際は、同一の形状、大きさ及び重量を有する叩打体Ｂを用いることももちろん可能であるが、それぞれに形状、大きさ及び重量が異なる叩打体Ｂを用いることも可能であり、使用者は様々な音色からなる叩打音を楽しむことも可能となる。
【００２９】
使用者は、図２に図示するように、固形可燃物Ａを所望の台座Ｃに立設した上で、固形可燃物Ａの側面の所望の位置に取り付き部２の先端を突き刺して音源付き灯火照明体用叩打体支持具１を取り付ける。そして、使用者は、戴置部３に所望の叩打体Ｂを戴置した上で、固形可燃物Ａの先端に着火する。そうすると、固形可燃物Ａの燃焼に伴って、固形可燃物Ａの側面に取り付けられていた音源付き灯火照明体用叩打体支持具１が取り外され、叩打体Ｂが台座Ｃの上面に落下して叩打音を生ずることにより、使用者はその音色を楽しむことができるのである。
【００３０】
以上が、本考案の第一実施形態に係る音源付き灯火照明体用叩打体支持具の構造及びその使用態様についての説明である。次に、本考案の第二実施形態に係る音源付き灯火照明体用叩打体支持具の構造及びその使用態様について添付図面に基づいて説明する。尚、第二実施形態に係る音源付き灯火照明体用叩打体支持具の構造及びその使用態様は、下記の事項以外、前記の第一実施形態に係る音源付き灯火照明体用叩打体支持具の構造及びその使用態様と同一である。
【００３１】
本考案の第二実施形態に係る音源付き灯火照明体用叩打体支持具１は、図３及び４に図示するように、取り付き部２と、戴置部３とから構成される。
【００３２】
取り付き部２は、固形可燃物Ａの側面に取り付くための部材であって、図３及び４に図示するように、該固形可燃物の側面形状に合わせた内周面を有するリング形の部材から構成される。即ち、図３及び４では、固形可燃物Ａの形状が円柱状であるため、取り付き部２も平面視正円状のリング形の部材を用いているが、例えば、固形可燃物Ａの形状が四角柱状であれば、取り付き部２も平面視四角形状のリング形の部材を用いるものとする。また、取り付き部２の下部に、図３及び４に図示するように、ギザギザ状の滑り止めを形成すると、該滑り止めが固形可燃物Ａの側面に食い込んで、音源付き灯火照明体用叩打体支持具１が滑り落ちてしまうことを防止することができ、好適である。
【００３３】
使用者は、図４に図示するように、固形可燃物Ａを所望の台座Ｃに立設した上で、取り付き部２に固形可燃物Ａを挿通させて固形可燃物Ａの側面の所望の位置に音源付き灯火照明体用叩打体支持具１を取り付けることができる。
【００３４】
以上が、本考案の第二実施形態に係る音源付き灯火照明体用叩打体支持具の構造及びその使用態様についての説明である。次に、本考案の第三実施形態に係る音源付き灯火照明体用叩打体支持具の構造及びその使用態様について添付図面に基づいて説明する。尚、第三実施形態に係る音源付き灯火照明体用叩打体支持具の構造及びその使用態様は、下記の事項以外、前記の第一実施形態に係る音源付き灯火照明体用叩打体支持具の構造及びその使用態様と同一である。
【００３５】
本考案の第三実施形態に係る音源付き灯火照明体用叩打体支持具１は、図５及び６に図示するように、取り付き部２と、戴置部３とから構成される。
【００３６】
取り付き部２は、固形可燃物Ａの側面に取り付くための部材であって、図５及び６に図示するように、一部に切り欠きのあるリング形の部材から構成される。一部に切り欠きのあるリング形の部材を用いることにより、取り付き部２の内径が調節可能となることから、固形可燃物Ａの側面形状に取り付き部２の内周面形状が合致しない場合であっても、音源付き灯火照明体用叩打体支持具１を固形可燃物Ａの側面に取り付けることができる。また、取り付き部２の切り欠きの先端は、図５及び６に図示するように、外側に向かって拡がるように形成すると、音源付き灯火照明体用叩打体支持具１を固形可燃物Ａに円滑に取り付けることができ、好適である。
【００３７】
使用者は、図６に図示するように、固形可燃物Ａを所望の台座Ｃに立設した上で、取り付き部２に固形可燃物Ａを挟み込ませるようにして固形可燃物Ａの側面の所望の位置に音源付き灯火照明体用叩打体支持具１を取り付けることができる。
【００３８】
以上が、本考案の第三実施形態に係る音源付き灯火照明体用叩打体支持具の構造及びその使用態様についての説明である。次に、本考案の第四実施形態に係る音源付き灯火照明体用叩打体支持具の構造及びその使用態様について添付図面に基づいて説明する。尚、第四実施形態に係る音源付き灯火照明体用叩打体支持具の構造及びその使用態様は、下記の事項以外、前記の第一実施形態に係る音源付き灯火照明体用叩打体支持具の構造及びその使用態様と同一である。
【００３９】
本考案の第四実施形態に係る音源付き灯火照明体用叩打体支持具１は、図７及び８に図示するように、取り付き部２と、戴置部３とから構成される。
【００４０】
取り付き部２は、固形可燃物Ａの側面に取り付くための部材であって、図７及び８に図示するように、途中に湾曲部を有する線状の部材であり、並行に二本配置されている。複数の線状の部材を用いることにより、取り付き部２の幅が調節可能となることから、音源付き灯火照明体用叩打体支持具１を様々な大きさの直径ないし形状を有する固形可燃物Ａの側面に取り付けることができる。湾曲部は、固形可燃物Ａの側面を当接させる箇所であり、もとより一箇所のみ設けることも可能であるが、図７及び８に図示するように、複数箇所設けることにより、音源付き灯火照明体用叩打体支持具１を固形可燃物Ａに取り付ける際のバランスを調節することができ、好適である。尚、図７及び８では、湾曲部は三箇所設けられているが、湾曲部の数は特に限定されない。また、取り付き部２の開放端は、図７及び８に図示するように、外側に向かって拡がるように形成すると、音源付き灯火照明体用叩打体支持具１を固形可燃物Ａに円滑に取り付けることができ、好適である。
【００４１】
使用者は、図８に図示するように、固形可燃物Ａを所望の台座Ｃに立設した上で、取り付き部２に固形可燃物Ａを挟み込ませるとともに、湾曲部に固形可燃物Ａの外周面を当接させるようにして、固形可燃物Ａの側面の所望の位置に音源付き灯火照明体用叩打体支持具１を取り付けることができる。
【００４２】
以上が、本考案の第四実施形態に係る音源付き灯火照明体用叩打体支持具の構造及びその使用態様についての説明である。次に、本考案の第五実施形態に係る音源付き灯火照明体用叩打体支持具の構造及びその使用態様について添付図面に基づいて説明する。尚、第五実施形態に係る音源付き灯火照明体用叩打体支持具の構造及びその使用態様は、下記の事項以外、前記の第一実施形態に係る音源付き灯火照明体用叩打体支持具の構造及びその使用態様と同一である。
【００４３】
本考案の第五実施形態に係る音源付き灯火照明体用叩打体支持具１は、図９及び１０に図示するように、取り付き部２と、戴置部３とから構成される。
【００４４】
取り付き部２は、固形可燃物Ａの側面に取り付くための部材であって、図９及び１０に図示するように、固形可燃物Ａの側面を弾性的に挟持する一対のクリップ片を有するクリップ具から構成される。即ち、該クリップ具を用いることにより、取り付き箇所の大きさが調節可能となることから、固形可燃物Ａの側面形状及び直径の大きさに拘らず、音源付き灯火照明体用叩打体支持具１を固形可燃物Ａの側面に取り付けることができ、好適である。
【００４５】
使用者は、図１０に図示するように、固形可燃物Ａを所望の台座Ｃに立設した上で、取り付き部２に固形可燃物Ａを挟持させるようにして固形可燃物Ａの側面の所望の位置に音源付き灯火照明体用叩打体支持具１を取り付けることができる。
【００４６】
以上が、本考案の第五実施形態に係る音源付き灯火照明体用叩打体支持具の構造及びその使用態様についての説明である。最後に、本考案の第六実施形態に係る音源付き灯火照明体用叩打体支持具の構造及びその使用態様について添付図面に基づいて説明する。尚、第六実施形態に係る音源付き灯火照明体用叩打体支持具の構造及びその使用態様は、下記の事項以外、前記の第一実施形態ないし第五実施形態に係る音源付き灯火照明体用叩打体支持具の構造及びその使用態様と同一である。
【００４７】
本考案の第六実施形態に係る音源付き灯火照明体用叩打体支持具１は、図１１及び１２に図示するように、取り付き部２と、戴置部３と、止着部４とから構成される。
【００４８】
止着部４は、ピン付き装飾体Ｄのピンを突き刺して止着するための部材であって、図１１及び１２に図示するように、取り付き部２と戴置部３との間に設けられている。止着部４を形成する部材としては、例えば、円柱形のコルク部材等を用いることができる。
【００４９】
ピン付き装飾体Ｄは、図１２に図示するように、ピンに星形等の様々な形状をした装飾体を取り付けたものである。
【００５０】
使用者は、図１２に図示するように、所望のピン付き装飾体Ｄを止着部４に取り付けた上で固形可燃物Ａの側面に取り付けると、音源付き灯火照明体を視覚的に更に楽しむことができる。尚、図１２では、止着部４には単一のピン付き装飾体Ｄが取り付けられているが、複数のピン付き装飾体Ｄを取り付けることももちろん可能である。その際は、同一の形状又は大きさからなるピン付き装飾体Ｄを用いることも可能であるが、それぞれに形状又は大きさが異なるピン付き装飾体Ｄを用いることも可能であり、使用者は様々な態様からなる音源付き灯火照明体を視覚的に楽しむことも可能となる。
【００５１】
また、音源付き灯火照明体用叩打体支持具１は固形可燃物Ａの燃焼に伴って熱せられるところ、使用者が使用後の音源付き灯火照明体用叩打体支持具１を片付ける際に、音源付き灯火照明体用叩打体支持具１に触れて火傷を負うおそれもある。そこで、止着部４を非伝熱性の素材により形成すると、使用者は、使用後の音源付き灯火照明体用叩打体支持具１を片付ける際に、止着部４を音源付き灯火照明体用叩打体支持具１の持手として利用することができるため、火傷を負うおそれが無くなり、好適である。
【００５２】
ところで、止着部４にピン付き装飾体Ｄを止着すると、戴置部３側に重量がかかってしまうことにより、叩打体Ｂが使用者の意図することなく落下してしまう可能性もある。そこで、音源付き灯火照明体用叩打体支持具１は、図１３に図示するように、取り付き部２側に半円形の係止部５を設けると好適である。即ち、図１４に図示するように、従来技術に係る音源付き灯火照明体用カバーＥとあわせて用いると、係止部５を音源付き灯火照明体用カバーＥに係止させることにより、戴置部３側に重量がかかって傾斜することを防いで、叩打体Ｂが使用者の意図することなく落下してしまうことを防止することができるのである。
【符号の説明】
【００５３】
１  音源付き灯火照明体用叩打体支持具
２  取り付き部
３  戴置部
４  止着部
５  係止部
Ａ  固形可燃物
Ｂ  叩打体
Ｃ  台座
Ｄ  ピン付き装飾体
Ｅ  音源付き灯火照明体用カバー
【図１】
0003176660.tif 000003
【図２】
0003176660.tif 000004
【図３】
0003176660.tif 000005
【図４】
0003176660.tif 000006
【図５】
0003176660.tif 000007
【図６】
0003176660.tif 000008
【図７】
0003176660.tif 000009
【図８】
0003176660.tif 000010
【図９】
0003176660.tif 000011
【図１０】
0003176660.tif 000012
【図１１】
0003176660.tif 000013
【図１２】
0003176660.tif 000014
【図１３】
0003176660.tif 000015
【図１４】
0003176660.tif 000016